【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
無線通信システムにおける送信機と受信機との間のタイミング取得工程を実行する方法であって：
該送信機において、システムの周波数分解能ｆｒを選択し；
該送信機において、無線通信システムの周波数分解能ｆｒに対して、及び動作周波数範囲、Ｒ内の互いに素となる整数である周波音のセットを生成し、
該送信機において、前記周波音のセットから周波音の第１サブセットを選択し；
該送信機において、前記周波音のサブセットを送信し；
該受信機において、前記周波音の第１サブセットを含む少なくとも２つの信号を受信し；
該受信機において、該２つの信号間の位相差を計算し；
該計算された位相差を用いて該送信機と該受信機との同期を取ることを含む方法。
【請求項２】
無線通信システムの周波数分解能ｆｒに対して、及び動作周波数範囲Ｒ内の互いに素となる整数である周波音のセットを生成するステップが、周波数分解能で割られた周波数トーンが１以下の最大公約数を有する周波音のセットを選択することを含む、請求項１に記載の方法。
【請求項３】
前記トーンのセットを送信媒体の一又は複数の環境状態の変化に適合させる、又は無線通信システムの無認可の使用を制限するように適合させる
ことをさらに含む、請求項１に記載の方法。
【請求項４】
前記周波音の第１サブセットの一又は複数の周波音が破損したことを示すフィードバックを少なくとも１つの受信機から受信し；
前記受信に応答して、前記周波音の第１サブセットと少なくとも一部分が異なる周波音の第２サブセットを選択する
ことをさらに含む、請求項１に記載の方法。
【請求項５】
前記周波音の第２サブセットを送信機から送信する
ことをさらに含む、請求項４に記載の方法。
【請求項６】
無線通信システムであって：
周波音の第１サブセットを生成し送信する送信ノードと、
受信ノードであって、
周波音の第１サブセットを含む少なくとも２つの信号を受信し、
２つの信号間の位相差を計算し、
位相差を使用して送信機及び受信機を同期化する
受信ノード
を含むシステム。
【請求項７】
送信ノードが、
プロセッサと、
メモリモジュールであって、実行された時にプロセッサに、
システム周波数分解能ｆｒを選択させ、
無線通信システムの周波数分解能ｆｒに対しての、及び動作周波数範囲、Ｒ内の互いに素となる整数である周波音のセットを生成させ、
前記周波音のセットから周波音の第１サブセットの送信を選択させる
論理命令を含むメモリモジュール
を含む、請求項６に記載の無線通信システム。
【請求項８】
受信機が：
プロセッサと、
メモリモジュールであって、実行された時にプロセッサに、
一又は複数の周波音が破損したことを示す信号を生成し、
前記信号を送信ノードに返信する
論理命令を含むメモリモジュール
を含む、請求項７に記載の無線通信システム。
【請求項９】
送信モジュールが、実行された時にプロセッサに、
受信ノードからの信号を受信させ、
前記周波音の第１サブセットの一又は複数の周波音が破損したことを示す信号に応答して、前記周波音の第１サブセットと少なくとも一部分異なる周波音の第２サブセットを生成させる
論理命令をさらに含む、請求項８に記載の無線通信システム。
【請求項１０】
送信モジュールがさらに、実行された時にプロセッサに、前記周波音の第１サブセットの少なくとも一つの周波数を変えることによって周波音の第２サブセットを生成させる論理命令を含む、請求項９に記載の無線通信システム。
【請求項１１】
通信モジュールがさらに、実行された時にプロセッサに、疑似ランダムシーケンスを使用して、前記周波音の第１サブセットの少なくとも一つの周波数を変えることによって周波音の第２サブセットを生成させる論理命令を含む、請求項９に記載の無線通信システム。
【手続補正２】
【補正対象書類名】明細書
【補正対象項目名】００６５
【補正方法】変更
【補正の内容】
【００６５】
実施形態は構造的特徴及び/又は方法論的作用を特有の言語で説明してきたが、当然ながら請求される主題は説明した特定の特徴及び作用に限定できるものではない。むしろ、特定の特徴及び作用は請求される主題を実行するサンプル形態として開示された。
また、本願は以下に記載する態様を含む。
（態様１）
無線通信システムのタイミング取得工程において使用される動作周波数範囲内のトーン周波数のセットを生成する方法であって：
システムの周波数分解能、ｆｒを選択し；
無線通信システムの周波数分解能ｆｒに対して、及び動作周波数範囲、Ｒ内の互いに素となる整数である周波音のセットを生成する
ことを含む方法。
（態様２）
無線通信システムの周波数分解能ｆｒに対して、及び動作周波数範囲、Ｒ内の互いに素となる整数である周波音のセットを生成するステップが、周波数分解能で割られた周波数トーンが１以下の最大公約数を有する周波音のセットを選択することを含む、態様１に記載の方法。
（態様３）
前記トーンのセットを送信媒体の一又は複数の環境状態の変化に適合させる、又は無線通信システムの無認可の使用を制限するように適合させる
ことをさらに含む、態様１に記載の方法。
（態様４）
前記トーンのセットを適合させることが：
前記周波音のセットから周波音の第１サブセットを選択し；
送信機から前記周波音のサブセットを送信する
ことを含む、態様３に記載の方法。
（態様５）
前記周波音の第１サブセットを含む少なくとも２つの信号を受信し；
２つの信号間の位相差を計算する
ことをさらに含む、態様４に記載の方法。
（態様６）
前記周波音の第１サブセットの一又は複数の周波音が破損したことを示すフィードバックを少なくとも１つの受信機から受信し；
前記受信に応答して、前記周波音の第１サブセットと少なくとも一部分が異なる周波音の第２サブセットを選択する
ことをさらに含む、態様４に記載の方法。
（態様７）
前記周波音の第２サブセットを送信機から送信する
ことをさらに含む、態様６に記載の方法。
（態様８）
無線通信システムのタイミング取得工程において使用される動作周波数範囲内のトーン周波数のセットを生成する装置であって：
プロセッサと、
実行された時にプロセッサに、
システム周波数分解能、ｆｒを選択させ、
無線通信システムの周波数分解能ｆｒに対しての、及び動作周波数範囲、Ｒ内の互いに素となる整数である周波音のセットを生成させる
論理命令を含むメモリモジュール
を含む装置。
（態様９）
実行された時にプロセッサに態様２、３、４、６、又は７のうちのいずれか１項に記載の方法を実施させる論理命令をさらに含む、態様８に記載の装置。
（態様１０）
前記周波音の第１サブセットを含む少なくとも２つの信号を受信する受信機と、
プロセッサと、
実行された時にプロセッサに２つの信号間の位相差を計算させる論理命令を含むメモリモジュール
をさらに含む、態様９に記載の装置。
（態様１１）
無線通信システムであって：
周波音の第１サブセットを生成し送信する送信ノードと、
受信ノードであって、
周波音の第１サブセットを含む少なくとも２つの信号を受信し、
２つの信号間の位相差を計算し、
位相差を使用して送信機及び受信機を同期化する
受信ノード
を含むシステム。
（態様１２）
送信ノードが、
プロセッサと、
メモリモジュールであって、実行された時にプロセッサに、
システム周波数分解能、ｆｒを選択させ、
無線通信システムの周波数分解能ｆｒに対しての、及び動作周波数範囲、Ｒ内の互いに素となる整数である周波音のセットを生成させ、
前記周波音のセットから周波音の第１サブセットの送信を選択させる
論理命令を含むメモリモジュール
を含む、態様１１に記載の無線通信システム。
（態様１３）
受信機が：
プロセッサと、
メモリモジュールであって、実行された時にプロセッサに、
一又は複数の周波音が破損したことを示す信号を生成し、
前記信号を送信ノードに返信する
論理命令を含むメモリモジュール
を含む、態様１２に記載の無線通信システム。
（態様１４）
送信モジュールが、実行された時にプロセッサに、
受信ノードからの信号を受信させ、
前記周波音の第１サブセットの一又は複数の周波音が損傷したことを示す信号に応答して、前記周波音の第１サブセットと少なくとも一部分異なる周波音の第２サブセットを生成させる
論理命令をさらに含む、態様１３に記載の無線通信システム。
（態様１５）
送信モジュールがさらに、実行された時にプロセッサに、前記周波音の第１サブセットの少なくとも一つの周波数を変えることによって周波音の第２サブセットを生成させる論理命令を含む、態様１４に記載の無線通信システム。
（態様１６）
通信モジュールがさらに、実行された時にプロセッサに、疑似ランダムシーケンスを使用して、前記周波音の第１サブセットの少なくとも一つの周波数を変えることによって周波音の第２サブセットを生成させる論理命令を含む、態様１４に記載の無線通信システム。